(57)【要約】【課題】受信者側の情報を守りながら、発信者を認証する。【解決手段】通話中に受信部１０２が受信した通話相手の音声から音声の声紋データである認証声紋データを声紋データ作成部１０３が作成し、通話相手を識別可能な利用者識別情報と通話相手の声紋データである登録声紋データとをあらかじめ対応付けて記憶するメモリ１０１の中に、認証声紋データと一致する登録声紋データが記憶されている場合、登録声紋データと対応付けられている利用者識別情報をメモリ１０１から利用者識別情報読み出し部１０４が読み出し、読み出した利用者識別情報を表示部１０５が表示し、通話を開始してから利用者識別情報を表示するまでの間、集音制御部１０６が当該携帯端末に具備された集音機能を無効にする。【選択図】図１
2010263299.tif 000002
【特許請求の範囲】
【請求項１】
通話機能を具備する携帯端末であって、
通話相手を識別可能な利用者識別情報と、該通話相手の声紋データである登録声紋データとをあらかじめ対応付けて記憶するメモリと、
通話中に前記通話相手からの音声を受信する受信部と、
前記受信部が受信した音声から該音声の声紋データである認証声紋データを作成する声紋データ作成部と、
前記認証声紋データと一致する前記登録声紋データが前記メモリに記憶されている場合、該登録声紋データと対応付けられている利用者識別情報を該メモリから読み出す利用者識別情報読み出し部と、
前記利用者識別情報読み出し部が読み出した利用者識別情報を表示する表示部と、
前記通話を開始してから前記表示部が前記利用者識別情報を表示するまでの間、当該携帯端末に具備された集音機能を無効にする集音制御部とを有する携帯端末。
【請求項２】
請求項１に記載の携帯端末において、
前記利用者識別情報読み出し部は、任意のポイントで前記認証声紋データと前記登録声紋データとを比較し、あらかじめ設定された閾値以上のポイント数で前記認証声紋データと前記登録声紋データとが一致した場合、前記認証声紋データと一致する前記登録声紋データが前記メモリに記憶されていると判断することを特徴とする携帯端末。
【請求項３】
請求項１に記載の携帯端末において、
前記声紋データ作成部は、前記受信部が受信した音声から該音声の前記登録声紋データを作成し、該作成した登録声紋データを前記利用者識別情報と対応付けて前記メモリへ書き込むことを特徴とする携帯端末。
【請求項４】
請求項３に記載の携帯端末において、
前記声紋データ作成部は、前記作成した登録声紋データを、前記メモリにあらかじめ記憶されている電話帳の利用者識別情報と対応付けて該メモリに書き込むことを特徴とする携帯端末。
【請求項５】
請求項１に記載の携帯端末において、
前記集音制御部は、前記通話相手からの着信が発信者番号非通知の着信である場合、前記通話を開始してから前記表示部が前記識別情報を表示するまでの間、前記集音機能を無効にすることを特徴とする携帯端末。
【請求項６】
携帯端末にて受信した通話の通話相手を携帯端末にて認証する認証方法であって、
通話中に受信した前記通話相手の音声から該音声の声紋データである認証声紋データを作成する処理と、
前記通話相手を識別可能な利用者識別情報と該通話相手の声紋データである登録声紋データとをあらかじめ対応付けて記憶するメモリの中に、前記認証声紋データと一致する前記登録声紋データが記憶されている場合、該登録声紋データと対応付けられている利用者識別情報を該メモリから読み出す読み出し処理と、
前記読み出した利用者識別情報を表示する処理と、
前記通話を開始してから前記利用者識別情報を表示するまでの間、当該携帯端末に具備された集音機能を無効にする無効処理とを有する認証方法。
【請求項７】
請求項６に記載の認証方法において、
前記読み出し処理は、任意のポイントで前記認証声紋データと前記登録声紋データとを比較し、あらかじめ設定された閾値以上のポイント数で前記認証声紋データと前記登録声紋データとが一致した場合、前記認証声紋データと一致する前記登録声紋データが前記メモリに記憶されていると判断することを特徴とする認証方法。
【請求項８】
請求項６に記載の認証方法において、
前記受信した音声から該音声の前記登録声紋データを作成する処理と、
該作成した登録声紋データを前記利用者識別情報と対応付けて前記メモリへ書き込む書き込み処理とを有することを特徴とする認証方法。
【請求項９】
請求項８に記載の認証方法において、
前記書き込み処理は、前記作成した登録声紋データを、前記メモリにあらかじめ記憶されている電話帳の利用者識別情報と対応付けて該メモリに書き込むことを特徴とする認証方法。
【請求項１０】
請求項６に記載の認証方法において、
前記無効処理は、前記通話相手からの着信が発信者番号非通知の着信である場合、前記通話を開始してから前記識別情報を表示するまでの間、前記集音機能を無効にすることを特徴とする認証方法。
【請求項１１】
通話機能を具備する携帯端末に、
通話中に受信した通話相手の音声から該音声の声紋データである認証声紋データを作成する手順と、
前記通話相手を識別可能な利用者識別情報と該通話相手の声紋データである登録声紋データとをあらかじめ対応付けて記憶するメモリの中に、前記認証声紋データと一致する前記登録声紋データが記憶されている場合、該登録声紋データと対応付けられている利用者識別情報を該メモリから読み出す読み出し手順と、
前記読み出した利用者識別情報を表示する手順と、
前記通話を開始してから前記利用者識別情報を表示するまでの間、当該携帯端末に具備された集音機能を無効にする無効手順とを実行させるためのプログラム。
【請求項１２】
請求項１１に記載のプログラムにおいて、
前記読み出し手順は、任意のポイントで前記認証声紋データと前記登録声紋データとを比較し、あらかじめ設定された閾値以上のポイント数で前記認証声紋データと前記登録声紋データとが一致した場合、前記認証声紋データと一致する前記登録声紋データが前記メモリに記憶されていると判断することを特徴とするプログラム。
【請求項１３】
請求項１１に記載のプログラムにおいて、
前記受信した音声から該音声の前記登録声紋データを作成する手順と、
該作成した登録声紋データを前記利用者識別情報と対応付けて前記メモリへ書き込む書き込み手順とを実行させるためのプログラム。
【請求項１４】
請求項１３に記載のプログラムにおいて、
前記書き込み手順は、前記作成した登録声紋データを、前記メモリにあらかじめ記憶されている電話帳の利用者識別情報と対応付けて該メモリに書き込むことを特徴とするプログラム。
【請求項１５】
請求項１１に記載のプログラムにおいて、
前記無効手順は、前記通話相手からの着信が発信者番号非通知の着信である場合、前記通話を開始してから前記識別情報を表示するまでの間、前記集音機能を無効にすることを特徴とするプログラム。
【発明の詳細な説明】
【技術分野】
【０００１】
本発明は、発信者を認証する携帯端末、認証方法およびプログラムに関する。
【背景技術】
【０００２】
近年、電話の着信があった際、その発信者の電話番号を表示する「発信者番号通知」のサービスが普及している。その「発信者番号通知」のサービスを利用すれば、かかってきた電話が誰からのものなのかを識別することができる。
【０００３】
しかしながら、当該サービスにおいて、発信者番号を「非通知」に設定することもできるため、「発信者番号非通知」が設定された場合は、表示によって発信者を特定することはできない。
【０００４】
このような状況では、通話相手を識別するためには、通話相手の声を受信者の耳で確認するほかない。しかしながら、人間の耳によって通話相手を特定するには限界がある。そのため、最近では、親族を装って電話をかけ、お金をだまし取るといった「おれおれ詐欺」に代表される犯罪も多発している。
【０００５】
そこで、通話相手の音声の声紋データと、あらかじめ記憶された声紋データとを比較することで、通話相手を認証するシステムが考えられている（例えば、特許文献１参照。）。
【先行技術文献】
【特許文献】
【０００６】
【特許文献１】特開２００６−３８９５５号公報
【発明の概要】
【発明が解決しようとする課題】
【０００７】
しかしながら、特許文献１に記載されたようなシステムにおいては、通話相手が認証されない場合であっても、受信者からの音声が発信者へ送信されてしまうおそれがある。この場合、見知らぬ通話相手に、受信側の情報が知られてしまうという問題点がある。
【０００８】
本発明の目的は、上述した課題を解決する携帯端末、認証方法およびプログラムを提供することである。
【課題を解決するための手段】
【０００９】
本発明の携帯端末は、
通話機能を具備する携帯端末であって、
通話相手を識別可能な利用者識別情報と、該通話相手の声紋データである登録声紋データとをあらかじめ対応付けて記憶するメモリと、
通話中に前記通話相手からの音声を受信する受信部と、
前記受信部が受信した音声から該音声の声紋データである認証声紋データを作成する声紋データ作成部と、
前記認証声紋データと一致する前記登録声紋データが前記メモリに記憶されている場合、該登録声紋データと対応付けられている利用者識別情報を該メモリから読み出す利用者識別情報読み出し部と、
前記利用者識別情報読み出し部が読み出した利用者識別情報を表示する表示部と、
前記通話を開始してから前記表示部が前記利用者識別情報を表示するまでの間、当該携帯端末に具備された集音機能を無効にする集音制御部とを有する。
【００１０】
また、本発明の認証方法は、
携帯端末にて受信した通話の通話相手を携帯端末にて認証する認証方法であって、
通話中に受信した前記通話相手の音声から該音声の声紋データである認証声紋データを作成する処理と、
前記通話相手を識別可能な利用者識別情報と該通話相手の声紋データである登録声紋データとをあらかじめ対応付けて記憶するメモリの中に、前記認証声紋データと一致する前記登録声紋データが記憶されている場合、該登録声紋データと対応付けられている利用者識別情報を該メモリから読み出す読み出し処理と、
前記読み出した利用者識別情報を表示する処理と、
前記通話を開始してから前記利用者識別情報を表示するまでの間、当該携帯端末に具備された集音機能を無効にする無効処理とを有する。
【００１１】
また、本発明のプログラムは、
通話機能を具備する携帯端末に実行させるためのプログラムであって、
通話中に受信した通話相手の音声から該音声の声紋データである認証声紋データを作成する手順と、
前記通話相手を識別可能な利用者識別情報と該通話相手の声紋データである登録声紋データとをあらかじめ対応付けて記憶するメモリの中に、前記認証声紋データと一致する前記登録声紋データが記憶されている場合、該登録声紋データと対応付けられている利用者識別情報を該メモリから読み出す読み出し手順と、
前記読み出した利用者識別情報を表示する手順と、
前記通話を開始してから前記利用者識別情報を表示するまでの間、当該携帯端末に具備された集音機能を無効にする無効手順とを実行させる。
【発明の効果】
【００１２】
以上説明したように本発明においては、通話中に受信した通話相手の音声から音声の声紋データである認証声紋データを作成し、通話相手を識別可能な利用者識別情報と通話相手の声紋データである登録声紋データとをあらかじめ対応付けて記憶するメモリの中に、認証声紋データと一致する登録声紋データが記憶されている場合、登録声紋データと対応付けられている利用者識別情報をメモリから読み出し、読み出した利用者識別情報を表示し、通話を開始してから利用者識別情報を表示するまでの間、当該携帯端末に具備された集音機能を無効にする構成としたため、受信者側の情報を守りながら、発信者を認証することができる。
【図面の簡単な説明】
【００１３】
【図１】本発明の携帯端末の実施の一形態を示す図である。
【図２】図１に示したメモリに記憶された声紋データと利用者識別情報との対応付けの一例を示す図である。
【図３】図１に示したメモリに記憶された声紋データと利用者識別情報との対応付けの他の例を示す図である。
【図４】図１に示した携帯端末における認証方法を説明するためのフローチャートである。
【図５】図４のステップＳ３の声紋データ登録処理を説明するためのフローチャートである。
【図６】図４のステップＳ４の声紋データ認証処理を説明するためのフローチャートである。
【図７】利用者識別情報が表示された表示部の画面の一例を示す図である。
【図８】利用者識別情報が検索できなかった旨が表示された表示部の画面の一例を示す図である。
【発明を実施するための形態】
【００１４】
以下に、本発明の実施の形態について図面を参照して説明する。
【００１５】
図１は、本発明の携帯端末の実施の一形態を示す図である。
【００１６】
本形態は図１に示すように、メモリ１０１と、受信部１０２と、声紋データ作成部１０３と、利用者識別情報読み出し部１０４と、表示部１０５と、集音制御部１０６とが設けられている。なお、図１には、携帯端末１００が有する構成要素のうち、本発明に係わる構成要素のみを示した。
【００１７】
メモリ１０１は、通話相手の声紋データと、通話相手を識別可能な利用者識別情報とをあらかじめ対応付けて記憶する。
【００１８】
図２は、図１に示したメモリ１０１に記憶された声紋データと利用者識別情報との対応付けの一例を示す図である。
【００１９】
図１に示したメモリ１０１には図２に示すように、登録声紋データと利用者識別情報とが対応付けられて記憶されている。
【００２０】
登録声紋データは、通話相手から受信した音声から声紋データ作成部１０３が作成した声紋データである。なお、図２には、登録声紋データを「データＡ」等と表示しているが、これは説明の便宜上、このように表示したものであって、実際は声紋データそのものが記憶される。また、１つの利用者識別情報に対して複数の登録声紋データが記憶されているものであっても良い。この複数の登録声紋データは、１人の声紋データであることは言うまでもないが、複数のパターン（環境下）で作成されたものである。
【００２１】
利用者識別情報は、登録声紋データの基となる音声を発した通話相手（利用者）を識別可能な情報である。なお、利用者識別情報は、携帯端末１００を操作する者が通話相手を識別できる情報であれば良く、氏名や、ニックネーム等であっても良い。
【００２２】
例えば、登録声紋データ「データＡ」と利用者識別情報「日本太郎」とが対応付けられて記憶されている。これは、「日本太郎」さんの声紋データが「データＡ」で登録されていることを示している。また、登録声紋データ「データＢ」と利用者識別情報「関東花子」とが対応付けられて記憶されている。これは、「関東花子」さんの声紋データが「データＢ」で登録されていることを示している。また、登録声紋データ「データＣ」と利用者識別情報「東京次郎」とが対応付けられて記憶されている。これは、「東京次郎」さんの声紋データが「データＣ」で登録されていることを示している。
【００２３】
図３は、図１に示したメモリ１０１に記憶された声紋データと利用者識別情報との対応付けの他の例を示す図である。
【００２４】
図１に示したメモリ１０１には図３に示すように、登録声紋データと利用者識別情報と電話番号と電子メールアドレスとが対応付けられて記憶されている。この利用者識別情報と電話番号と電子メールアドレスとの対応付けは、一般的に用いられている電話帳であっても良い。その電話帳に登録声紋データが対応付けられた形態となっている。
【００２５】
登録声紋データは、図２に示したものと同じである。
【００２６】
利用者識別情報は、図２に示したものと同じである。
【００２７】
電話番号は、通話相手の電話番号である。
【００２８】
電子メールアドレスは、通話相手の電子メールアドレスである。
【００２９】
例えば、登録声紋データ「データＡ」と利用者識別情報「日本太郎」と電話番号「０９０１１１１１１１１」と電子メールアドレス「ｎｉｈｏｎ＠ａａ．ｎｅ．ｊｐ」とが対応付けられて記憶されている。これは、電話番号が「０９０１１１１１１１１」であり、電子メールアドレス「ｎｉｈｏｎ＠ａａ．ｎｅ．ｊｐ」である端末を所有する「日本太郎」さんの声紋データが「データＡ」で登録されていることを示している。また、登録声紋データ「データＢ」と利用者識別情報「関東花子」と電話番号「０８０９９９９９９９９」と電子メールアドレス「ｈａｎａｈａｎａ＠ｂｂ．ｎｅ．ｊｐ」とが対応付けられて記憶されている。これは、電話番号が「０８０９９９９９９９９」であり、電子メールアドレス「ｈａｎａｈａｎａ＠ｂｂ．ｎｅ．ｊｐ」である端末を所有する「関東花子」さんの声紋データが「データＢ」で登録されていることを示している。また、登録声紋データ「データＣ」と利用者識別情報「東京次郎」と電話番号「０９０５５５５５５５５」と電子メールアドレス「ｊｉｒｏ＠ｃｃ．ｎｅ．ｊｐ」とが対応付けられて記憶されている。これは、電話番号が「０９０５５５５５５５５」であり、電子メールアドレス「ｊｉｒｏ＠ｃｃ．ｎｅ．ｊｐ」である端末を所有する「東京次郎」さんの声紋データが「データＣ」で登録されていることを示している。
【００３０】
受信部１０２は、通話中に通話相手からの音声を受信する。また、受信部１０２は、受信した音声を声紋データ作成部１０３へ出力する。
【００３１】
声紋データ作成部１０３は、受信部１０２から出力されてきた音声から声紋データを作成する。声紋データの作成方法は一般的なものであれば良い。また、声紋データを登録する処理において、作成した声紋データを登録声紋データとしてメモリ１０１に書き込む。また、声紋データを認証する処理においては、作成した声紋データを認証声紋データとして利用者識別情報読み出し部１０４へ出力する。
【００３２】
利用者識別情報読み出し部１０４は、声紋データ作成部１０３から出力されてきた認証声紋データと一致する登録声紋データをメモリ１０１から検索する。また、利用者識別情報読み出し部１０４は、認証声紋データと一致する登録声紋データがメモリ１０１から検索できた場合、当該登録声紋データと対応付けられて記憶されている利用者識別情報をメモリ１０１から読み出す。また、利用者識別情報読み出し部１０４は、読み出した利用者識別情報を表示部１０５へ出力する。また、利用者識別情報読み出し部１０４は、認証声紋データと一致する登録声紋データがメモリ１０１から検索できなかった場合、その旨を表示部１０５へ出力する。
【００３３】
表示部１０５は、利用者識別情報読み出し部１０４から利用者識別情報が出力されてきた場合、当該利用者識別情報を表示する。また、利用者識別情報読み出し部１０４から登録声紋データが検索できなかった旨が出力されてきた場合、その旨（例えば、「一致する声紋データがありません。」）を表示する。なお、表示部１０５は、一般的なディスプレイであっても良い。
【００３４】
集音制御部１０６は、携帯端末１００が具備する集音機能（例えば、マイク）の機能を制御する。集音制御部１０６は、声紋データを認証する処理において、携帯端末１００が通話を開始してから表示部１０５が利用者識別情報を表示するまでの間、集音機能を無効にする。
【００３５】
以下に、本形態における認証方法について説明する。なお、以下に説明する認証方法（処理）は、通話が開始された際に自動的に実施されるものであっても良いし、携帯端末１００を操作する者による所定の操作が行われた場合のみに実施されるものであっても良い。
【００３６】
図４は、図１に示した携帯端末１００における認証方法を説明するためのフローチャートである。
【００３７】
通話が開始されると（ステップＳ１）、登録機能がＯＮ（有効）であるかどうかが判断される（ステップＳ２）。この登録機能がＯＮであるかどうかは、通話が開始される際、または通話中に、携帯端末１００を操作する者によって、所定の操作が行われたかどうかによって判断するものであっても良い。例えば、着信があった際、または通話中に、所定のキー（例えば、「０」のキー）が押されることにより、登録機能がＯＮとなるものであっても良い。
【００３８】
登録機能がＯＮであると判断された場合、声紋データ登録処理が行われる（ステップＳ３）。
【００３９】
一方、登録機能がＯＮではないと判断された場合、声紋データ認証処理が行われる（ステップＳ４）。
【００４０】
以下に、ステップＳ３の声紋データ登録処理について説明する。
【００４１】
図５は、図４のステップＳ３の声紋データ登録処理を説明するためのフローチャートである。
【００４２】
まず、受信部１０２にて受信された音声から声紋データが登録声紋データとして声紋データ作成部１０３にて作成される（ステップＳ３１）。このとき、通話相手に所定のフレーズ（例えば、「もしもし」や「はいはい」等）を言ってもらい、その音声から登録声紋データが作成されるものであっても良い。
【００４３】
すると、作成された登録声紋データが声紋データ作成部１０３によってメモリ１０１に書き込まれる（ステップＳ３２）。このとき、当該音声を発した通話相手の利用者識別情報と対応付けられてメモリ１０１に記憶される。
【００４４】
以下に、ステップＳ４の声紋データ認証処理について説明する。
【００４５】
図６は、図４のステップＳ４の声紋データ認証処理を説明するためのフローチャートである。
【００４６】
まず、携帯端末１００に具備された集音機能が集音制御部１０６によって無効にされる（ステップＳ４１）。ここで、通話相手からの着信が発信者番号非通知の場合のみ、集音機能が集音制御部１０６によって無効にされるものであっても良い。
【００４７】
続いて、受信部１０２にて受信された音声から声紋データが認証声紋データとして声紋データ作成部１０３によって作成される（ステップＳ４２）。
【００４８】
すると、声紋データ作成部１０３によって作成された認証声紋データと一致する登録声紋データが利用者識別情報読み出し部１０４によってメモリ１０１の中から検索される（ステップＳ４３）。ここで、認証声紋データと完全一致する登録声紋データを検索するものでなくても、任意のポイントで認証声紋データと登録声紋データとを比較し、あらかじめ設定された閾値以上のポイント数で両者が一致したものが検索された場合、認証声紋データと一致する登録声紋データが検索されたと判断するものであっても良い。
【００４９】
認証声紋データと一致する登録声紋データが検索された場合（ステップＳ４４のＹｅｓ）、検索された登録声紋データと対応付けられて記憶されている利用者識別情報が利用者識別情報読み出し部１０４によってメモリ１０１から読み出される（ステップＳ４５）。
【００５０】
すると、メモリ１０１から読み出された利用者識別情報が表示部１０５に表示される（ステップＳ４６）。
【００５１】
図７は、利用者識別情報が表示された表示部１０５の画面の一例を示す図である。
【００５２】
図７に示すように表示部１０５には、メモリ１０１から読み出された、つまり通話相手の利用者識別情報が表示される。図７に示した例では、メモリ１０１から読み出された利用者識別情報が「日本太郎」であり、「日本太郎さんから電話です。」と表示されている。
【００５３】
また、利用者識別情報が表示部１０５に表示された後、集音制御部１０６によって携帯端末１００の集音機能が有効にされる（ステップＳ４７）。
【００５４】
一方、認証声紋データと一致する登録声紋データが検索されない場合（ステップＳ４４のＮｏ）、検索できなかった旨が表示部１０５に表示される（ステップＳ４８）。
【００５５】
図８は、利用者識別情報が検索できなかった旨が表示された表示部１０５の画面の一例を示す図である。
【００５６】
図８に示すように表示部１０５には、利用者識別情報が検索できなかった旨が表示される。図８に示した例では、「一致する声紋データがありません。」と表示されている。
【００５７】
なお、図４〜６を用いて説明した認証処理を行わない場合は、一般的な通話が可能である。
【００５８】
上述した携帯端末１００の処理は、目的に応じて作製された論理回路で行うようにしても良い。また、処理内容を手順として記述したプログラムを携帯端末１００にて読取可能な記録媒体に記録し、この記録媒体に記録されたプログラムを携帯端末１００に読み込ませ、実行するものであっても良い。携帯端末１００にて読取可能な記録媒体とは、携帯端末１００に装着可能なメモリカードなどの移設可能な記録媒体の他、携帯端末１００に内蔵されたＲＯＭ、ＲＡＭ等のメモリやＨＤＤ等を指す。この記録媒体に記録されたプログラムは携帯端末１００内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００５９】
このように、携帯端末に声紋照合機能を有し、それによる判断結果をユーザに明示することで、利用者がおれおれ詐欺等の被害に遭うことを未然に防止することができ、かつ見知らぬ通話相手に利用者の情報を知られることを防ぐことができる。
【符号の説明】
【００６０】
１００    携帯端末
１０１    メモリ
１０２    受信部
１０３    声紋データ作成部
１０４    利用者識別情報読み出し部
１０５    表示部
１０６    集音制御部
【図１】
2010263299.tif 000003
【図２】
2010263299.tif 000004
【図３】
2010263299.tif 000005
【図４】
2010263299.tif 000006
【図５】
2010263299.tif 000007
【図６】
2010263299.tif 000008
【図７】
2010263299.tif 000009
【図８】
2010263299.tif 000010